(57)【要約】      （修正有）【課題】バルブマニホールドボックスやガスキャビネットに用いる鎖錠構造を提供する。【解決手段】鎖錠構造であって、ロック１は、鎖座１０と鎖座１０に設置されるアクチュエーターアセンブリ３０、係合素子４０と鎖片２０を有し、アクチュエーターアセンブリ３０により、係合素子４０の鎖座１０に対する位置変化と鎖片２０の鎖座１０に対する配置を駆動して、鎖片２０が閉鎖位置で維持されるのを確保する、又は、鎖片２０が閉鎖位置を脱離できるようにする。アクチュエーターアセンブリ３０は、液圧式又は気圧式のアクチュエーターアセンブリ３０で、電動アクチュエーターが操作過程における火花を生成する問題を防止する。好ましくは、鎖片２０は、鎖片２０に対して運動するバッフル２２を有すると共に、バッフル２２の位置変化により、アクチュエーターアセンブリ３０が操作できないとき、鎖片２０が、閉鎖位置で維持することを確保するか、又は、随時、閉鎖位置から脱離できる。【選択図】図３
0003200011.tif 000002
【実用新案登録請求の範囲】
【請求項１】
鎖錠構造であって、
鎖座と、
液圧又は気圧で駆動すると共に、固定素子と運動素子を有し、前記固定素子は前記鎖座と固接され、前記運動素子は運動可能な方式で前記固定部を連接して前記運動素子を前記鎖座に対して運動させると共に、第一運動位置と第二運動位置を有するアクチュエーターアセンブリと、
運動可能な方式で前記鎖座に連接され、且つ、前記運動素子が、前記第一運動位置と前記第二運動位置の間で運動する時、前記運動素子と運動可能な方式で連接される係合素子と、
運動可能な方式で前記鎖座に連接されると共に、バッフルを有し、且つ、前記鎖座に対し閉鎖位置と開放位置で運動する鎖片と、
を有し、
前記鎖片が、前記閉鎖位置にある時、且つ、前記運動素子が、前記鎖座に対して前記第一運動位置にある時、前記鎖片が、前記鎖座に対し前記閉鎖位置から離れるように運動させる過程において、前記係合素子と前記バッフルが干渉を生成して、前記鎖片の前記鎖座に対する運動を制限し、
前記鎖片が、前記閉鎖位置にある時、且つ、前記運動素子が、前記鎖座に対し前記第二運動位置にある時、前記鎖片が、前記鎖座に対し前記閉鎖位置から離れるように運動させる過程において、前記バッフルが、前記係合素子との接触関係を脱離して鎖片を前記開放位置に運動させる
ことを特徴とする、前記鎖錠構造。
【請求項２】
前記係合素子は舌状素子であり、前記舌状素子は舌状固定部を有し、
前記鎖片が、前記閉鎖位置にある時、且つ、前記運動素子が、前記鎖座に対して前記第一運動位置にある時、前記鎖片が、前記鎖座に対し前記閉鎖位置から離れるように運動させる過程において、前記舌状固定部と前記バッフルが干渉を生成し、前記鎖片の前記鎖座に対する運動を制限し、
前記鎖片が、前記閉鎖位置にある時、且つ、前記運動素子が、前記鎖座に対し前記第二運動位置にある時、前記鎖片が、前記鎖座に対し前記閉鎖位置から離れるように運動させる過程において、前記バッフルは、前記舌状固定部との接触関係を脱離することを特徴とする、請求項１に記載の鎖錠構造。
【請求項３】
前記係合素子は、舌状素子と中間素子を有し、前記舌状素子は、舌状接触部と舌状固定部を有し、前記中間素子は、第一接触部と第二接触部を有し、
運動素子が、前記第一運動位置と前記第二運動位置の間で運動する時、前記第一接触部と前記運動素子は、運動可能な方式で連接され、且つ、前記第二接触部と前記舌状接触部は、運動可能な方式で連接され、
前記鎖片が、前記閉鎖位置にある時、且つ、前記運動素子が、前記鎖座に対して前記第一運動位置にある時、前記鎖片が、前記鎖座に対し前記閉鎖位置から離れるように運動させる過程において、前記舌状固定部と前記バッフルは、干渉を生成し、前記鎖片の前記鎖座に対する運度を制限し、
前記鎖片が、前記閉鎖位置にある時、且つ、前記運動素子が、前記鎖座に対し前記第二運動位置にある時、前記鎖片が、前記鎖座に対し、前記閉鎖位置から離れるように運動させる過程において、前記バッフルは、前記舌状固定部との接触関係を脱離することを特徴とする、請求項１に記載の鎖錠構造。
【請求項４】
さらに、少なくともひとつの第一弾性素子を有し、前記少なくともひとつの第一弾性素子は、前記係合素子と前記鎖座の間に連接されることを特徴とする、請求項１〜３のいずれか一項に記載の鎖錠構造。
【請求項５】
前記固定素子は流体配管を連接し、前記流体配管は、開閉できるバルブ素子を有し、前記バルブ素子の開閉により、前記運動素子に、前記固定素子に対する運動を生成させることができることを特徴とする、請求項１〜３のいずれか一項に記載の鎖錠構造。
【請求項６】
前記アクチュエーターアセンブリの前記固定素子と前記運動素子は、それぞれ、シリンダーとピストンであり、前記運動素子と前記固定素子は、滑動可能な方式で連接されることを特徴とする、請求項５に記載の鎖錠構造。  
【請求項７】
前記バッフルは、運動可能な方式で前記鎖片を連接し、前記鎖片に対し予設位置と解除位置で運動し、
前記鎖片と前記バッフルが、それぞれ、前記閉鎖位置と前記予設位置にある時、且つ、前記運動素子が、前記鎖座に対して前記第一運動位置にある時、前記鎖片が、前記鎖座に対し、前記閉鎖位置から離れるように運動させる過程において、前記係合素子と前記バッフルが干渉を生成し、前記鎖片の前記鎖座に対する運度を制限し、
前記バッフルが前記解除位置にある時、前記鎖片は、前記閉鎖位置を脱離できることを特徴とする、請求項１〜３のいずれか一項に記載の鎖錠構造。
【請求項８】
前記鎖片は、さらに、伝動素子を有し、前記伝動素子は、運動可能な方式で前記鎖片と前記バッフル間に連接され、前記伝動素子の運動により、前記バッフルが、前記解除位置と前記予設位置で運動できることを特徴とする、請求項７に記載の鎖錠構造。
【請求項９】
さらに、第二弾性素子を有し、前記第二弾性素子は、前記バッフルと前記鎖片の間に連接されることを特徴とする、請求項７に記載の鎖錠構造。
【請求項１０】
前記バッフルは、さらに、前記鎖片に対し閉鎖位置で運動し、
前記鎖片と前記バッフルが、それぞれ、前記閉鎖位置と前記閉鎖位置にある時、且つ、前記運動素子が、前記鎖座に対し前記第二運動位置にある時、前記鎖片が、前記鎖座に対し前記閉鎖位置から離れるように運動させる過程において、前記係合素子と前記バッフルは干渉を生成し、前記鎖片の前記鎖座に対する運度を制限することを特徴とする、請求項７に記載の鎖錠構造。
【考案の詳細な説明】
【技術分野】
【０００１】
本考案は、鎖錠構造（ＬＯＣＫ  ＡＳＳＥＭＢＬＹ  ＳＴＲＵＣＴＵＲＥ）に関し、特にバルブマニホールドボックス（Ｖａｌｖｅ  Ｍａｎｉｆｏｌｄ  Ｂｏｘ）やガスキャビネット（Ｇａｓ  Ｃａｂｉｎｅｔ）に用いる鎖錠構造に関する。
【背景技術】
【０００２】
人々の物品への重視、安全性の考慮等から、各種鎖錠構造が提案され、特定の保護効果を達成している。現代化の管理に基づくと、従来のロックは、電子センサーと記録の機能を追加して、ロックの開閉を制御すると共に、ロックの使用状況に関する記録をする必要がある。
【０００３】
現在、多くのロックは、電子化された電動アクチュエーター、センサー、コントローラー等の素子により作動するものである。しかし、特殊な気体（可燃性、易燃性や助燃性）の配管を管理するバルブマニホールドボックスロックや、これらの特殊な気体環境中に晒される電子化ロックにとって、電動アクチュエーターを採用するロックは、作動過程において火花を生成しやすく、爆発や火災のリスクが高まる。現有の一部の装置は、電動アクチュエーターに対し火花が漏れるのを防ぐ保護設計を有する。
【０００４】
しかし、これらの保護設計は比較的に体積を占有し、また、相関する保護設計の規格も要求が高く、高コストになるという問題もある。このほか、これらの電子化ロックの故障時、ロック全体が失効し、ロックが開閉できないという問題が発生する。
【考案の概要】
【考案が解決しようとする課題】
【０００５】
上述の欠点を改善するため、本考案は、鎖錠構造を提供し、ロックは、液圧又は気圧アクチュエーターアセンブリによって、電子式ロックの効果を達成し、電動アクチュエーターが操作過程中で火花が発生するのを防止し、電動アクチュエーター使用上の安全性、体積が大きい、コストが高い等の問題を解決することを目的とする。
【課題を解決するための手段】
【０００６】
本考案の実施形態による鎖錠構造は、鎖座、アクチュエーターアセンブリ、係合素子、及び、鎖片を有する。
【０００７】
アクチュエーターアセンブリは、液圧又は気圧により駆動されると共に、固定素子と運動素子を有し、固定素子は、鎖座と固接され、運動素子は、運動可能な方式で固定部に連接されて、運動素子が、鎖座に対して運動すると共に、第一運動位置と第二運動位置を有する。
【０００８】
係合素子は、運動可能な方式で鎖座に連接され、且つ、運動素子が、第一運動位置と第二運動位置間で運動する時、係合素子と運動素子は、運動可能な方式で連接される。
【０００９】
鎖片は、運動可能な方式で鎖座に連接されると共に、バッフルを有し、且つ、鎖片は、鎖座に対し閉鎖位置と開放位置で運転する。鎖片が、閉鎖位置にある時、且つ、運動素子が、鎖座に対して第一運動位置にある時、鎖片が、鎖座に対し閉鎖位置から離れるように運動する過程において、係合素子とバッフルは干渉を生成し、鎖片は鎖座に対する運動が制限される。鎖片が、閉鎖位置にある時、且つ、運動素子が、鎖座に対し第二運動位置にある時、鎖片が、鎖座に対し閉鎖位置から離れるように運動する過程において、バッフルが、係合素子との接触関係を解消して、鎖片を開放位置に運動させる。
【００１０】
好ましくは、アクチュエーターアセンブリの固定素子と運動素子は、それぞれ、シリンダーとピストンで、運動素子と固定素子は、滑動可能な方式で連接される。
【００１１】
好ましくは、鎖片はバッフルを有し、バッフルは、運動可能な方式で鎖片を連接し、バッフルが鎖片に対し予設位置と解除位置とに運動する。鎖片とバッフルが、それぞれ、閉鎖位置と予設位置にある時、且つ、運動素子が、鎖座に対して第一運動位置にある時、鎖片が、鎖座に対し閉鎖位置から離れるように運動する過程において、舌状固定部と鎖片の結合が、干渉を生成して、鎖片は鎖座に対する運動が制限される。バッフルが解除位置にある時、鎖片は、閉鎖位置から脱離できる。以上のような配置により、アクチュエーターアセンブリが正常に作動しているかどうかにかかわらず、バッフルにより、解除位置で操作されて、鎖片が、随時、閉鎖状態を脱離できるようにする。
【００１２】
好ましくは、バッフルは、さらに、鎖片に対し閉鎖位置で運動し、予設位置が、閉鎖位置と解除位置の間に位置する。鎖片とバッフルが、それぞれ、閉鎖位置と閉鎖位置にある時、且つ、運動素子が、鎖座に対し第二運動位置にある時、鎖片が、鎖座に対し、閉鎖位置から離れるように運動する過程において、舌状固定部とバッフルが干渉を生成し、鎖片は鎖座に対する運動が制限される。以上のような配置により、アクチュエーターアセンブリが正常に作動しているかどうかにかかわらず、バッフルにより、閉鎖位置で操作されて、鎖片が、閉鎖状態にあることを確保することができる。
【００１３】
上記及び他の目的及び本考案の特徴は、添付図面とともに以下の記載を参照することにより明らかとなる。
【考案の効果】
【００１４】
電動アクチュエーターが操作過程中で火花が発生するのを防止し、電動アクチュエーター使用上の安全性や、体積が大きい、コストが高い等の問題を解決することを目的とする。
【図面の簡単な説明】
【００１５】
【図１】本考案の実施形態によるロックの鎖片が鎖座に対し閉鎖位置にある時の立体図である。
【図２】図１に基づいたロックの鎖片が鎖座に対し開放位置にある立体図である。
【図３】図１に基づいたロックの各素子の立体分解図である。
【図４Ａ】図１に基づいたロックのアクチュエーターアセンブリの運動素子が第一運動位置にあり、及び、係合素子のアクチュエーターアセンブリに対する位置関係を示す図である。
【図４Ｂ】図４Ａに基づいたロックのアクチュエーターアセンブリの運動素子が第二運動位置にあり、及び、係合素子のアクチュエーターアセンブリに対する位置関係を示す図である。
【図５】図４Ａに基づいた係合素子と鎖片のバッフルの固定状態を示すと共に、係合素子が鎖片に伴って連動しない一例を示す図である。
【図６Ａ】図４Ａに基づいた鎖片の運動が係合素子に制限され、且つ、係合素子が鎖片に伴って連動する一例を示す図である。
【図６Ｂ】図４Ａに基づいた鎖片の運動が係合素子に制限され、且つ、係合素子が鎖片に伴って連動する一例を示す図である。
【図７Ａ】図４Ｂに基づき、並びに、図５の例を延伸させた係合素子の位置が変化した後、係合素子と鎖片のバッフルの間の対応位置関係を示す図である。
【図７Ｂ】図７Ａに基づいた鎖片が鎖座に相対し、開放位置で運動することを示す図である。
【図８Ａ】図４Ｂに基づき、並びに、図６Ａと図６Ｂの例を延伸させた運動素子が第二運動位置にある時、鎖片が、閉鎖位置から開放位置に運動する作動図で、鎖片が係合素子を押して、バッフルが、係合素子との接触関係を解消する。
【図８Ｂ】図４Ｂに基づき、並びに、図６Ａと図６Ｂの例を延伸させた運動素子が第二運動位置にある時、鎖片が、閉鎖位置から開放位置に運動する作動図で、鎖片が係合素子を押して、バッフルが、係合素子との接触関係を解消する。
【図８Ｃ】図４Ｂに基づき、並びに、図６Ａと図６Ｂの例を延伸させた運動素子が第二運動位置にある時、鎖片が、閉鎖位置から開放位置に運動する作動図で、鎖片が係合素子を押して、バッフルが、係合素子との接触関係を解消する。
【図８Ｄ】図４Ｂに基づき、並びに、図６Ａと図６Ｂの例を延伸させた運動素子が第二運動位置にある時、鎖片が、閉鎖位置から開放位置に運動する作動図で、鎖片が係合素子を押して、バッフルが、係合素子との接触関係を解消する。
【図９Ａ】バッフルが鎖片に対し、解除位置、予設位置、及び、閉鎖位置を示す図である。
【図９Ｂ】バッフルが鎖片に対し、解除位置、予設位置、及び、閉鎖位置を示す図である。
【図９Ｃ】バッフルが鎖片に対し、解除位置、予設位置、及び、閉鎖位置を示す図である。
【図１０】図４Ａと図９Ａに基づいたバッフルが解除位置にある時、鎖片が、閉鎖位置を脱離することを示す図である。
【図１１】図４Ｂ及び図９Ｃに基づいたバッフルが閉鎖位置にある時、運動素子が第二運動位置にあっても、鎖片が、閉鎖状態にあることを確保することができる。
【考案を実施するための形態】
【００１６】
図１と図２は、それぞれ、本考案の実施形態によるロック１の使用状態を示す図である。
【００１７】
ロック１は、鎖座１０と鎖片２０を有し、鎖片２０は、運動可能な方式で鎖座１０を連接して、鎖片２０を、鎖座１０に対しそれぞれ、図１と図２に示されるような閉鎖位置と開放位置に運動させる。
【００１８】
さらに詳細に説明すると、鎖片２０は、蓋板１００内に設置されたアクチュエーターアセンブリ３０と係合素子４０間の連接関係（図３に示される）により、閉鎖位置で制限される状態と開放位置で運動できる状態を有する。
【００１９】
注意すべきことは、本実施形態において、鎖片２０は、回転ジョイントにより鎖座１０と連接されているが、これに制限されず、その他の非回転ジョイントの連接方式でもよい。
【００２０】
さらに、注意すべきことは、蓋板１００は、アクチュエーターアセンブリ３０と係合素子４０を保護する効果を有し、且つ、取り外し可能な方法で鎖座１０に固接されることである。よって、蓋板１００と鎖座１０が固接する時、蓋板１００が、鎖座１０の一部である（鎖座１０と一体である）とみなすことができる。しかし、その他の実施形態において、鎖座１０は蓋板１００を有さない。
【００２１】
図３は、図１のロック１の分解立体図である。鎖座１０は、一個以上の素子から構成される。鎖片２０は、バッフル２２を有する。
【００２２】
アクチュエーターアセンブリ３０は、固定素子３２と運動素子３４を有し、固定素子３２と鎖座１０は固接し、運動素子３４は、運動可能な方式で固定素子３２を連接して、運動素子３４を鎖座１０に対して運動させると共に、第一運動位置（図４Ａに示される）と第二運動位置（図４Ｂに示される）を有する。
【００２３】
アクチュエーターアセンブリ３０は、液圧又は気圧的方式により駆動して、運動素子３４を固定素子３２に対して運動させる。
【００２４】
さらに詳細に説明すると、アクチュエーターアセンブリ３０は、さらに、流体配管３６と配管ジョイント３８を有し、配管ジョイント３８は、固定素子３２と流体配管３６の間に連接される。
【００２５】
アクチュエーターアセンブリ３０は、さらに、流体配管３６と連接される開閉の制御が可能なバルブ素子（図示しない）を有し、バルブ素子の開閉を制御することにより、運動素子３４を固定素子３２に対して運動させる。
【００２６】
好ましくは、バルブ素子は、流体配管３６の一端に設置され、例えば流体配管３６の先頭に設置される。
【００２７】
好ましくは、バルブ素子の開閉制御は、電子識別装置（例えば、ＲＦＩＤセンサー）とバーチャルキー（例えば、ＲＦＩＤ  ＴＡＧ）の感知により制御され、且つ、相関する制御手段は、上述の例に限定されない。
【００２８】
好ましくは、バルブ素子は、ロック１外側に設置される。
【００２９】
注意すべきことは、本考案の図面は例示の表示で、運動素子３４はピストンであり、固定素子３２はシリンダーであり、且つ、運動素子３４は、滑動で固定素子３２を連接することである。しかし、運動素子３４と固定素子３２間の運動可能な連接方式は、この限りではない。
【００３０】
図３をベースとし、図４Ａと図４Ｂは、さらに、運動素子３４が、第一運動位置と第二運動位置で運動する状態、及び、係合素子４０と運動素子３４の間の連動関係を示す。
【００３１】
本考案の図面に示される例によると、係合素子４０は、中間素子４２と舌状素子４４を有する。
【００３２】
中間素子４２は、運動可能な方式で鎖座１０を連接すると共に、第一接触部４２ａと第二接触部４２ｂを有する。
【００３３】
舌状素子４４は、運動可能な方式で鎖座１０を連接すると共に、舌状接触部４４ａと舌状固定部４４ｂを有する。
【００３４】
運動素子３４が第一運動位置まで運動する時、第一接触部４２ａと運動素子３４は、運動可能な方式で連接され、且つ、第二接触部４２ｂと舌状接触部４４ａの構造と空間上の配置により、舌状素子４４が第一舌状状態を有する。
【００３５】
運動素子３４が第二運動位置の間で運動する時、第一接触部４２ａと運動素子３４は、運動可能な方式で連接され、且つ、第二接触部４２ｂと舌状接触部４４ａの構造と空間上の配置により、舌状素子４４が第二舌状状態を有する。
【００３６】
一つ実施形態において、本考案中の図面に示される例示性範例のように、運動素子３４と中間素子４２の第一接触部４２ａの間は、凸輪ペア（Ｃａｍ  Ｐａｉｒ／Ｊｏｉｎｔ）により、互いの滑動と回転可能な連接を達成している。
【００３７】
しかし、注意すべきことは、機構設計の相関知識に基づいて、運動素子３４と中間素子４２の間は、運動可能な方式で連接されると共に、凸輪ペアの手段に限定されない。
【００３８】
注意すべきことは、一つ範例中（図示しない）、係合素子４０は舌状素子４４だけを有し、アクチュエーターアセンブリ３０と舌状素子４４間の幾何関係の配置により、運動素子３４が、第一運動位置と第二運動位置で運動する時、舌状素子４４は、対応する第一舌状状態と第二舌状状態を有する。この状況において、係合素子４０の構成素子数量は最少化されて、係合素子４０とロック１全体の、製作、装着、メンテナンスコストが減少できる。
【００３９】
注意すべきことは、その他の範例中（図示しない）、係合素子４０は、中間素子４２と舌状素子４４を有し、且つ、中間素子４２は、複数の部品（図示しない）から構成されることである。
【００４０】
好ましくは、係合素子４０は、さらに、少なくともひとつの第一弾性素子（図示しない）を有し、少なくともひとつの第一弾性素子は、係合素子４０と鎖座１０の間に連接されて、運動素子３４が、第一運動位置と第二位置間で運動する時、第一弾性素子は、ポテンシャルエネルギーと運動エネルギー間の第一エネルギー変換を有して、舌状素子４４が、第一弾性素子により特定運動方位の傾向性を有する。
【００４１】
別の実施形態において、第一弾性素子は、中間素子４２と舌状素子４４の間に連接される。
【００４２】
さらに、図５を参照すると、図４Ａに基づいた鎖片２０の運動が係合素子４０に制限され、且つ、係合素子４０が鎖片２０に連動しない一例を示す図である。
【００４３】
このとき、鎖片２０は閉鎖位置にあり（図１を参照する）、運動素子３４は鎖座１０に対して第一運動位置にあり（図４Ａに示される）、鎖片２０が、鎖座１０に対し閉鎖位置から離れるように運動させる過程において、係合素子４０とバッフル２２は干渉を生成して鎖片２０の鎖座１０に対する運動を制限する。
【００４４】
さらに詳細に説明すると、本考案中の図面で示される例のように、このとき、係合素子４０の舌状素子４４の舌状固定部４４ｂは、バッフル２２と接触固定して、鎖片２０の運動を制限する。この状況において、第一舌状状態は、舌状素子４４が特定位置で固定され、且つ、バッフル２２と干渉を生成すると共に、鎖片２０が、閉鎖位置を脱離できないことを意味する。
【００４５】
一実施形態において、舌状素子４４の運動位置は、運動素子２２で連動し、舌状固定部４４ｂが、バッフル２２と接触する位置で固定される。
【００４６】
別の実施形態中、少なくとも一つの第一弾性素子が、舌状素子４４と鎖座１０の間を連接することにより、舌状固定部４４ｂが、バッフル２２と接触する位置で固定される。
【００４７】
図５の係合素子４０と鎖片２０間の運動関係と異なり、図６Ａと図６Ｂは、図４Ａに基づいた鎖片２０の運動が係合素子４０に制限され、且つ、係合素子４０が鎖片２０に伴って連動する一例を示す図である。
【００４８】
図６Ａに示されるように、鎖片２０は閉鎖位置に位置し、且つ、舌状素子４４の舌状固定部４４ｂがバッフル２２と接触する。鎖片２０が、図７Ａの位置が鎖座１０に対し閉鎖位置から離れ、図６Ｂの位置に運動する時、舌状素子４４が、バッフル２２により舌状固定部４４ｂを押して運動する。
【００４９】
鎖片２０が図６Ｂの位置で運動する時、舌状素子４４は、バッフル２２により押されず、特定位置で固定されて、舌状素子４４の舌状固定部４４ｂとバッフル２２が干渉を生成して、鎖片２０が続けて鎖座１０に対し、閉鎖位置から離れる方向で運動するのを制限する。この状況において、第一舌状状態は、舌状素子４４が鎖片２０の運動に伴い、第一連動範囲を有し、第一連動範囲の極限位置（図６Ｂ）は、舌状素子４４とバッフル２２に干渉を生成させると共に、鎖片２０が閉鎖位置から脱離できないように制限する。
【００５０】
さらに、図７Ａと図７Ｂを参照すると、図５の係合素子４０が鎖片２０に伴い連動する範例を延伸させ、図４Ｂに基づいた鎖片２０の運動は、係合素子４０にほぼ制限されないことを示す図である。
【００５１】
図７Ａに示されるように、鎖片２０は閉鎖位置に位置し（図１を参照）、運動素子３４は鎖座１０に対して第二運動位置に位置し（図４Ｂに示される）、鎖片２０が、鎖座１０に対して閉鎖位置から離れるように運動させる過程において、鎖片２０は開放位置に運動する（図７Ｂで示される）、すなわち、鎖片２０は閉鎖位置を脱離することができる。
【００５２】
好ましくは、鎖片２０は、鎖座１０に対し閉鎖位置から離れるように運動させる過程において、係合素子４０の舌状素子４４とバッフル２２は干渉を生成しない。この状況において、第二舌状状態は、舌状素子４４が特定位置で固定され、且つ、バッフル２２と干渉を生成せず、鎖片２０が閉鎖位置から脱離することを意味し、すなわち、バッフル２２は、係合素子４０との接触関係を解消する。
【００５３】
もうひとつの実施形態において、図８Ａ〜図８Ｄに示されるように、図６Ａと図６Ｂの係合素子４０が鎖片２０に伴って連動する例を延長させ、図４Ｂに基づいて、鎖片２０の運動が、係合素子４０の制限を脱離することができる。
【００５４】
図８Ａに示されるように、鎖片２０は閉鎖位置に位置し（図１を参照する）、運動素子３４は、鎖座１０に対して第二運動位置に位置し（図４Ｂに示される）、鎖片２０が、鎖座１０に対して閉鎖位置から離れるように運動させる過程において、舌状素子４４は、バッフル２２により舌状固定部４４ｂを押して運動する（図８Ｂと図８Ｃのように）。
【００５５】
鎖片２０が図６Ｃの位置に運動する時、舌状素子４４は、バッフル２２により押されず、バッフル２２と干渉を生成せず、鎖片２０を閉鎖位置から脱離させる（図８Ｄに示されるように）。この状況において、第二舌状状態は、舌状素子４４が鎖片２０の運動に伴い、第二連動範囲を有し、第二連動範囲の極限位置（図８Ｃのように）が、舌状素子４４とバッフル２２間に干渉を生成させず、鎖片２０が閉鎖位置を脱離できることを意味し、すなわち、バッフル２２は、係合素子４０との接触関係を解除する。
【００５６】
本考案の実施形態によると、図９Ａ〜図９Ｃは、それぞれ、バッフル２２が、鎖片２０に対し解除位置、予設位置、及び閉鎖位置で運動する状況を示す図である。
【００５７】
予設位置は、閉鎖位置と解除位置の間に位置する。鎖片２０は、さらに、伝動素子２４を有し、伝動素子２４は、運動可能な方式で鎖片２０とバッフル２２の間に連接される。
【００５８】
さらに詳細に説明すると、伝動素子２４は、主動部２４ａ（Ｄｒｉｖｉｎｇ  Ｐｏｒｔｉｏｎ）を有し、バッフル２２は、従動部２２ａ（Ｆｏｌｌｏｗｅｒ  Ｐｏｒｔｉｏｎ）を有し、主動部２４ａと従動部２２ａは、運動可能な方式で連接されて、伝動素子２４を鎖片２０に対して運動させて、主動部２４ａにより、従動部２２ａを連動させて、バッフル２２を連動させ、鎖片２０に対し解除位置、予設位置、及び閉鎖位置で運動させることができる。
【００５９】
注意すべきことは、本考案の図面は例示的表示で、伝動素子２４は回転する連接鎖片２０、バッフル２２は滑動する連接鎖片２０、主動部２４ａは偏心の突出部であり、従動部２２ａは、特定形状の凹陷部を有すると共に、主動部２４ａと従動部２２ａ間が凸輪ペアの方式で連接されることにより、伝動素子２４とバッフル２２間に前述の運動関係の連接がある。しかし、伝動素子２４とバッフル２２間の連接方式は、この限りではない。
【００６０】
バッフル２２が予設位置にある時（図９Ｂに示される）、ロック１の可能操作状態は、すなわち、前述と図４Ａ〜図８Ｂに示される。
【００６１】
図９Ａと図１０に示されるように、バッフル２２が解除位置にあり、且つ、鎖片２０が、閉鎖位置にある時、運動素子３４が第一運動位置にある時、バッフル２２により、鎖片２０に向かって内縮（図９Ｂのバッフル２２位置と比較して）しても、鎖片２０が運動過程中で、バッフル２２と舌状素子４４が干渉を発生するのを防止し、鎖片２０が閉鎖位置から脱離でき、アクチュエーターアセンブリ３０が作動できず、且つ、運動素子３４が第一運動位置にある時、鎖片２０が閉鎖位置から脱離できない問題を解決することができる。すなわち、バッフル２２が解除位置にある時、鎖片２０は、随時、且つ、制限を受けずに、閉鎖位置を脱離することができる。
【００６２】
図９Ｃと図１１に示されるように、バッフル２２が閉鎖位置にあり、且つ、鎖片２０が、閉鎖位置にある時、運動素子３４が第二運動位置にある時、バッフル２２により、鎖片２０が外部（図９Ｂのバッフル２２位置と比較して）に伸展しても、鎖片２０が、鎖座１０に対し閉鎖位置から離れるように運動させる過程において、依然として舌状素子４４の干渉を受け、閉鎖位置から脱離できず、アクチュエーターアセンブリ３０が作動できず、且つ、運動素子３４が第二運動位置にある時、鎖片２０が、閉鎖位置で制限されない問題を解決する。
【００６３】
図９Ａ〜図９Ｃを再度参照すると、好ましい実施形態において、伝動素子２４は、鎖芯の形態で鎖片２０に設置される。伝動素子２４は操作部２４ｂを有し、操作部２４ｂは鎖孔（図示しない）を有すると共に、鎖孔に対応するキー（図示しない）により、鎖孔を挿設して、伝動素子２４に、鎖片２０に対する運動を生成させて、操作バッフル２２を、鎖片２０に対し解除位置、予設位置、及び閉鎖位置で運動させる。
【００６４】
前述の鎖芯、鎖孔及びキーが実行できる各種実施形態の構造と配置は、当該技術を熟知する者なら誰でも実現できるので、ここに詳述しない。注意すべきことは、前述の鎖孔とキーの組み合わせにより伝動素子２４を駆動するのは、例示であると共に、その他の伝動素子２４の駆動手段を排除しない。
【００６５】
好ましくは、第二弾性素子５０は、鎖片２０とバッフル２２の間に連接されて、バッフル２２を、鎖片２０に対して運動させる時、第二弾性素子５０は、ポテンシャルエネルギーと運動エネルギー間の第二エネルギー変換を有して、バッフル２２は、第二弾性素子５０により、特定運動方位への傾向性を有する。
【００６６】
本考案では好ましい実施例を前述の通り開示したが、これらは決して本考案に限定するものではなく、当該技術を熟知する者なら誰でも、本考案の精神と領域を脱しない範囲内で各種の変動や修飾を加えることができ、従って本考案の保護範囲は、実用新案請求の範囲で指定した内容を基準とする。
【符号の説明】
【００６７】
１  ロック
１０  鎖座
２０  鎖片
２２  バッフル
２２ａ  従動部
２４  伝動素子
２４ａ  主動部
３０  アクチュエーターアセンブリ
３２  固定素子
３４  運動素子
３６  流体配管
３８  配管ジョイント
４０  係合素子
４２  中間素子
４２ａ  第一接触部
４２ｂ  第二接触部
４４  舌状素子
４４ａ  舌状接触部
４４ｂ  舌状固定部
５０  第二弾性素子
１００  蓋板
【図１】
0003200011.tif 000003
【図２】
0003200011.tif 000004
【図３】
0003200011.tif 000005
【図４Ａ】
0003200011.tif 000006
【図４Ｂ】
0003200011.tif 000007
【図５】
0003200011.tif 000008
【図６Ａ】
0003200011.tif 000009
【図６Ｂ】
0003200011.tif 000010
【図７Ａ】
0003200011.tif 000011
【図７Ｂ】
0003200011.tif 000012
【図８Ａ】
0003200011.tif 000013
【図８Ｂ】
0003200011.tif 000014
【図８Ｃ】
0003200011.tif 000015
【図８Ｄ】
0003200011.tif 000016
【図９Ａ】
0003200011.tif 000017
【図９Ｂ】
0003200011.tif 000018
【図９Ｃ】
0003200011.tif 000019
【図１０】
0003200011.tif 000020
【図１１】
0003200011.tif 000021
【手続補正書】
【提出日】平成27年7月28日(2015.7.28)
【手続補正１】
【補正対象書類名】実用新案登録請求の範囲
【補正対象項目名】請求項１
【補正方法】変更
【補正の内容】
【請求項１】
鎖錠構造であって、
鎖座と、
液圧又は気圧で駆動すると共に、固定素子と運動素子を有し、前記固定素子は前記鎖座と
固接され、前記運動素子は運動可能な方式で前記固定素子を連接して前記運動素子を前記鎖座に対して運動させると共に、第一運動位置と第二運動位置を有するアクチュエーターアセンブリと、
運動可能な方式で前記鎖座に連接され、且つ、前記運動素子が、前記第一運動位置と前記
第二運動位置の間で運動する時、前記運動素子と運動可能な方式で連接される係合素子と
、
運動可能な方式で前記鎖座に連接されると共に、バッフルを有し、且つ、前記鎖座に対し
閉鎖位置と開放位置で運動する鎖片と、
を有し、
前記鎖片が、前記閉鎖位置にある時、且つ、前記運動素子が、前記鎖座に対して前記第一
運動位置にある時、前記鎖片が、前記鎖座に対し前記閉鎖位置から離れるように運動させ
る過程において、前記係合素子と前記バッフルが干渉を生成して、前記鎖片の前記鎖座に
対する運動を制限し、
前記鎖片が、前記閉鎖位置にある時、且つ、前記運動素子が、前記鎖座に対し前記第二運
動位置にある時、前記鎖片が、前記鎖座に対し前記閉鎖位置から離れるように運動させる
過程において、前記バッフルが、前記係合素子との接触関係を脱離して鎖片を前記開放位
置に運動させる
ことを特徴とする、前記鎖錠構造。